(57)【要約】【課題】生ゴミに付着した水分を水切して、コンポストや生ゴミ処理機等内の水分過多を事前に防止することができ、生ゴミの分解効率の向上を図ることが可能となる生ゴミ処理用の入れ物及び生ゴミの処理方法を提供する。【解決手段】生ゴミ処理用の入れ物（水切り袋１）であって、生分解性プラスチックで形成され、通水性を有し前記入れ物の内部に収容された生ゴミに付着している水分を水切りできるように構成する。【選択図】            図２
2004338840.tif 000002
【特許請求の範囲】
【請求項１】
生ゴミ処理用の入れ物であって、生分解性プラスチックで形成され、通水性を有し前記入れ物に収容された生ゴミに付着している水分を水切りできるように構成されていることを特徴とする生ゴミ処理用の入れ物。
【請求項２】
前記生分解性プラスチックは、植物から得られるポリ乳酸を原料とするものであることを特徴とする請求項１に記載の生ゴミ処理用の入れ物。
【請求項３】
前記入れ物が、開口を備えた袋状の水切り袋で形成されていることを特徴とする請求項１または請求項２に記載の生ゴミ処理用の入れ物。
【請求項４】
前記水切り袋が、ネットまたは不織布により形成されていることを特徴とする請求項１〜３のいずれか１項に記載の生ゴミ処理用の入れ物。
【請求項５】
請求項１〜４のいずれか１項に記載の生ゴミ処理用の入れ物を用い、該入れ物内に生ゴミを入れ、該入れ物ごと微生物分解処理することを特徴とする生ゴミの処理方法。
【発明の詳細な説明】
【０００１】
【発明の属する技術分野】
本発明は、生ゴミ処理用の入れ物、生ゴミの処理方法に関するものである。
【０００２】
【従来の技術】
従来、生ゴミのリサイクル方法として、生ゴミを市販の発酵処理器（コンポスト）や生ゴミ処理機に入れて、微生物分解処理し、堆肥等に使用することが行われている。この方法は家庭、レストラン等において生ゴミを収集することなく、発生する現場で処理することができる利点がある。
また、このような方法の他、例えば特許文献１に開示されているような、分解性プラスチックの容器を利用する方法が知られている。この方法では、密閉可能な分解性プラスチックに入れられた生ゴミを、コンポストや生ゴミ処理機等で容器ごと発酵処理することができる。
【０００３】
【特許文献１】特開２００２−１８６９４７号公報
【０００４】
【発明が解決しようとする課題】
しかしながら、上記特許文献１の方法では、密閉可能な容器を用いることから、生ゴミに付着している水分が切れないために、コンポストや生ゴミ処理機内が水分過多になり、微生物による生ゴミの分解が、好気的分解から水分過多による嫌気的分解になり、悪臭を発したり、生ゴミの分解に時間がかかる、等の問題が生じる。
【０００５】
そこで、本発明は、上記課題を解決し、生ゴミに付着した水分を水切して、コンポストや生ゴミ処理機等内の水分過多を事前に防止することができ、生ゴミの分解効率の向上を図ることが可能となる生ゴミ処理用の入れ物及び生ゴミの処理方法を提供することを目的としている。
【０００６】
【課題を解決するための手段】
本発明は、以下のように構成した生ゴミ処理用の入れ物及び生ゴミの処理方法を提供するものである。
すなわち、本発明の生ゴミ処理用の入れ物は、生分解性プラスチックで形成され、通水性を有し前記入れ物に収容された生ゴミに付着している水分を水切りできるように構成されている。
また、本発明の生ゴミ処理用の入れ物は、前記生分解性プラスチックを、植物から得られるポリ乳酸を原料として構成することができる。
また、本発明の生ゴミ処理用の入れ物は、開口を備えた袋状の水切り袋で形成することができる。その際、この水切り袋は、ネットまたは不織布により形成することができる。
また、本発明の生ゴミの処理方法は、上記したいずれかの生ゴミ処理用の入れ物を用い、該入れ物内に生ゴミを入れ、該入れ物ごと微生物分解処理することを特徴とする。
本発明によれば、生ゴミを上記した生ゴミ処理用の入れ物で収集することで、事前に生ゴミに付着した水分を切ることができ、コンポスト内や生ゴミ処理機内の水分過多を防止することができ、生ゴミの分解を効率よく進行させることができる。
また、生ゴミを生分解性プラスチックの生ゴミ処理用の入れ物（水切り袋）に入れて簡単にコンポストや生ゴミ処理機に入れることができるので、生ゴミが飛び散ることを防止でき、また生ゴミは生分解性プラスチックの生ゴミ処理用の入れ物（水切り袋）に入れられた状態で、コンポストや生ゴミ処理機に投入されるので、生ゴミの運搬容器への生ゴミの付着がなくなり、悪臭の発生を防止することができる。
【０００７】
【発明の実施の形態】
以下、本発明の実施形態における生ゴミ処理用の入れ物について、図を参照して説明する。
図１は本発明の実施形態における生ゴミ処理用の入れ物を、水切り袋とした構成例の正面図である。図１において、水切り袋は符号１で示されており、この水切り袋１は図２に示すような、通水性の角型袋によって形成することができ、開口２を備えるようにする。その外形寸法は、例えば、縦２５０ｍｍ、横２２０ｍｍ程度とされる。
上記水切り袋１は通水性を備えているだけでなく、内部に収容する生ゴミを外部に逃がさず、水や汚汁等の水分だけを外部へ排出させるように形成されている。具体的には、植物から得られるポリ乳酸を原料とする生分解性プラスチックを用い、ネットからなる袋や不織布等に加工する。これは、生ゴミ処理機等の内部で発酵処理するに際して、微生物により水と二酸化炭素に分解される特性を有している。また、開口２は水切り袋１の一端に設けられている。
【０００８】
本発明の実施形態における生ゴミ処理用の入れ物は、生ゴミを収納することができるものであれば、図２に示すような角型の水切り袋でなくてもよく、その形状等は特に限定されないが、水切り袋の量を少なくし、水切り袋自体の分解を促進するために袋状のものが好ましい。
水切り袋の厚さは特に限定されないが、微生物分解処理により分解されやすいようになるべく薄いものが好ましい。例えば０．３〜０．０１ｍｍのものを使用することができる。水切り袋の口は閉じずコンポストに投入する際に手で口を絞ってそのまま水切り袋ごとコンポストに投入することができる。
また、水切り袋の網目寸法Ａは３ｍｍ×３ｍｍ以下であることが、残飯等が通過できない大きさであることから好適であるが、不織布のような通水性のある構成であっても良い。
【０００９】
なお、本発明の処理方法に用いられる生ゴミは、微生物分解処理が可能なものであって、例えば野菜、肉、魚、穀類等食料品から発生する生ゴミが好適であるが、生分解性プラスチックの水切り袋の外形寸法を大きくすることで、更に飼料から発生する生ゴミや、あるいは家畜の糞等にも適用することができ、その種類には限定されない。少量であれば微生物分解処理できないゴミが混入しても問題無い。
【００１０】
また、生分解性プラスチックとは、毎年再生産可能な天然資源であるトウモロコシやサトウダイコン等の植物から得られるデンプンや糖類を、発酵して製造されるポリ乳酸を原料とする熱可塑性樹脂であり、微生物による分解機能を有し最終的に水と二酸化炭素などの無機物に分解されるプラスチックである。
生分解性プラスチックの原料には、ポリ乳酸の他にポリブチレンサクシネート系やポリビニルアルコール系、でんぷん系、キトサン系などが、工業化レベルで実用化されている。ポリ乳酸の生分解性を他の材料と比較すると、通常の使用条件下では安定で、一般の樹脂と同様に実用上問題ない。一方、活発な堆肥化が進行している生ゴミ処理機内では、他の生分解性プラスチックよりも早く微生物の力で分解し、二酸化炭素と水になるから生ゴミの水切り袋には好適である。ポリ乳酸以外の生分解性プラスチック原料を使用しても水切り袋を構成することは可能である。
【００１１】
ここで、微生物分解処理とは、微生物を用いて生ゴミを生ゴミ処理用の入れ物（水切り袋）ごと微生物分解させることをいう。微生物分解処理にはコンポストや生ゴミ処理機を用いることができる。
生ゴミ処理用の入れ物（水切り袋）の中に入れられた生ゴミは、生ゴミ処理用の入れ物（水切り袋）が生分解性プラスチックであるため微生物、熱、水等により微生物分解処理され、生ゴミも微生物分解処理される。生ゴミは生ゴミ処理用の入れ物（水切り袋）に収容して、生ゴミ処理機に入れることができるので生ゴミ処理機内で飛び散ることがない。
また、生ゴミの運搬容器内にこびりつくこともないので、運搬容器内にこびりついた生ゴミから悪臭がでることもないうえ、運搬容器の水洗いをする手間も少なくなり、衛生的である。
【００１２】
また、生ゴミ処理用の入れ物（水切り袋）は水切りできるように構成されていることから生ゴミに付着した水分は、生ゴミ処理機に投入する前に水切りされ、コンポスト内や生ゴミ処理機内の水分過多を防止することができるので、微生物分解に適した条件を保つことができ、生ゴミの分解を効率よく進行させることができる。
微生物分解処理を、微生物の微生物分解に適した条件を保つことにより、数時間あるいは２４時間から２〜３日程度で生ゴミは生ゴミ処理用の入れ物（水切り袋）ごと微生物分解処理される。
【００１３】
微生物分解処理されたものは、堆肥として有効に活用することができる。また、生ゴミ処理機は市販の発酵処理機（コンポスト）をそのまま用いることができる。生ゴミ中に微生物分解処理できないものが少量入っていた場合でも、それら以外は微生物分解処理され、細かな堆肥になっているので篩い分けによって容易に分離することができる。
【００１４】
本発明は外食産業、企業の社員食堂、病院・公共施設の給食センター、学校の給食センター、レジャーランド、スーパーマーケット、コンビニエンスストアや一般家庭等で発生する生ゴミに適用することができる。
本発明によれば、従来のように生ゴミをゴミ収集のための容器や袋に移しかえる作業を不要にし、生ゴミから分解処理できないものを取り除く作業を軽減する。そして生ゴミを堆肥、肥料として活用することができる。
【００１５】
【実施例】
以下に、本発明の実施例について説明する。
［実施例１］
図３に、本発明の実施例１における水切り袋の使用例を示す。
本実施例においては、まず、水切り袋１を、流し台８の排水口７に抜き差し自在な、円筒形状で網を備えた金属製の生ゴミ受け９に配置する（図３の（ａ）、（ｂ））。
水切り袋１が配置された生ゴミ受け９に生ゴミを溜め、生ゴミが満タンとなり生ゴミを捨てようとする時には、水切り袋１は通水性があることから、水分は切れている（図３の（ｃ））。
つぎに、生ゴミ処理機１１内に、生ゴミが入った水切り袋１ごと入れる（図３の（ｄ））。
生ゴミ処理機１１内では、生ゴミに付着した水分は、生ゴミ処理機１１内に投入する前に水切りされていることから、生ゴミ処理機内の水分過多が防止され、微生物分解に適した条件のもとで、生ゴミの分解が効率よく進行し、水切り袋１ごと微生物分解処理される。
【００１６】
［実施例２］
図４に、本発明の実施例２における水切り袋の使用例を示す。
本実施例においては、まず、水切り袋１を、三角コーナー容器１０に配置する（図４の（ａ）、（ｂ））。
水切り袋１が配置された三角コーナー容器１０に生ゴミを溜め、生ゴミが満タンとなり生ゴミを捨てようとする時には、水切り袋１は通水性があることから、水分は切れている（図４の（ｃ））。
つぎに、生ゴミ処理機１１内に、生ゴミが入った水切り袋１ごと入れる（図４の（ｄ））。
これにより、前述した実施例１と同様な処理方法で、生ゴミの処理をすることができる。
【００１７】
【発明の効果】
本発明によれば、生ゴミに付着した水分をコンポストや生ゴミ処理機等内に投入する前に水切することができ、これらのコンポストや生ゴミ処理機等内の水分過多を事前に防止して、生ゴミの分解効率の向上を図ることが可能となる。
また、衛生的に生ゴミを処理することができるだけでなく、生ゴミ処理用の入れ物ごと微生物分解処理されるので、処理物から未分解の生ゴミ処理用の入れ物を取り除く手間を要することなく、処理物を堆肥等として利用することができる。
【図面の簡単な説明】
【図１】本発明の実施の形態における水切り袋の構成例を示す正面図。
【図２】本発明の実施の形態における拡開させた状態の水切り袋の斜視図。
【図３】本発明の実施例１を説明するための図。
【図４】本発明の実施例２を説明するための図。
【符号の説明】
１：水切り袋
２：開口部
７：排水口
８：流し台
９：生ゴミ受け
１０：三角コーナー容器
１１：生ゴミ処理機
Ａ：網目寸法
【図１】
2004338840.tif 000003
【図２】
2004338840.tif 000004
【図３】
2004338840.tif 000005
【図４】
2004338840.tif 000006